(57)【要約】      （修正有）【課題】任意寸法の組み立て式紙箱（例えばティッシュペーパーボックス）をマグネットを利用して鋼製壁面に簡便に取り付けられる「固定保持用マグネットホルダー」を提供する。【解決手段】紙間挿入フック3を強力マグネット2のついた平板1に取り付け、これを１個の「紙間挿入フック構造を持つマグネットホルダー」（基本パーツ）とし、これらのパーツを組み合わせて使用することにより、多種多様な任意の大きさの紙箱をどの様な形状の面にも取り付け可能とした。【選択図】図１５
2005187042.tif 000002
【特許請求の範囲】
【請求項１】
‥‥（タイプＡ-1（ａ）、図15参照）
平板(1)に強力マグネット(2)を埋め込み、平板(1)に紙間挿入フックＳ1(3)を取り付けたもので、紙箱隅の紙間にフックを挿入することで箱の前後の移動を保持固定することを特徴とするマグネットホルダー。
【請求項２】
‥‥（タイプＡ-2（ａ）、図16参照）
「請求項1」のマグネットホルダーに、さらに紙間挿入フックＳ2（4）を取り付けたもので、上下2個の紙箱隅の紙間にフックを挿入して保持固定することを特徴とするマグネットホルダー。
【請求項３】
‥‥（タイプＡ-3（ａ）、図17参照）
「請求項1」のマグネットホルダーに、さらに紙間挿入フックＳ3（5）を取り付けたもので、左右2個の紙箱隅の紙間にフックを挿入して保持固定することを特徴とするマグネットホルダー。
【請求項４】
‥‥（タイプＡ-4（ａ）、図18参照）
「請求項1」のマグネットホルダーに、さらに紙間挿入フックＳ2（4）と紙間挿入フックＳ3（5）を取り付けたもので、上下または左右2個の紙箱隅の紙間にフックを挿入して保持固定することを特徴とするマグネットホルダー。
【請求項５】
‥‥（タイプＡ-5（ａ）、図19参照）
「請求項1」のマグネットホルダーに、磁力開閉式ちょう番（6）を取り付けたもので、平板（1）を開閉することで２７０度の範囲で角度を持つ面に取り付け可能としたことを特徴とするマグネットホルダー。
【請求項６】
‥‥（タイプＡ-1（ａ）+タイプＡ-6+Ａ-7+Ａ-8+Ａ-9+Ａ-10、図20、21参照）
「請求項1」のマグネットホルダーに、タイプＡ-6+Ａ-7+Ａ-8+Ａ-9+Ａ-10の5個の機能を取り付けたマグネットホルダー。
【請求項７】
‥‥（マグネットホルダーセット1、図7,8,9参照）
次の3個のマグネットホルダーの組み合わせで、紙箱隅の3支点を支持固定することができるマグネットホルダーセット。（タイプＡ-1（ａ）×2個、タイプＡ-1（ｂ）×1個の、計3個のマグネットホルダーセット）
【請求項８】
‥‥（マグネットホルダーセット2、図10,11,12参照）
次の4個のマグネットホルダーの組み合わせで、常時は１個の紙箱の4隅を支持固定し、さらにもう1つ予備の箱が必要なときは、上下左右好きな位置に並べて取りつけることが可能なマグネットホルダーセット。（タイプＡ-2（ａ）、タイプＡ-2（ｂ）、タイプＡ-4（ａ）、タイプＡ-4（ｂ）の、計4個のマグネットホルダーセット）
【請求項９】
‥‥（マグネットホルダーセット3、図19参照）
「請求項8」の各マグネットホルダーに、「請求項5」の磁力開閉式ちょう番（6）の機能を備えたマグネットホルダーセット。
【請求項１０】
‥‥（タイプＢ-1、図23参照）
平板（1）に強力マグネット（2）を埋め込み、平板（1）に掛け穴付Ｌ型フック1を備えたマグネットホルダー。
【請求項１１】
‥‥（タイプＢ-2(ａ)、図23参照）
「請求項10」のマグネットホルダーに、さらに掛け穴付Ｌ型フック2を備えたマグネットホルダー。
【請求項１２】
‥‥（タイプＢ-3、図24参照）
平板（1）に強力マグネット（2）を埋め込み、平板（1）に折りたたみ式フック1を備えたマグネットホルダー。
【請求項１３】
‥‥（タイプＢ-4(ａ)、図24参照）
「請求項12」のマグネットホルダーに、さらに折りたたみ式フック2を備えたマグネットホルダー。
【請求項１４】
‥‥（マグネットホルダーセット4、図23参照）
次の3個のマグネットホルダーの組み合わせで、フックの掛け穴にゴムひもを付けて3支点でホワイトボード等を壁に支持できるマグネットホルダーセット。タイプＢ-1+タイプＢ-2（ａ）+タイプＢ-2（ｂ）の合計3個のマグネットホルダーセット。
【請求項１５】
‥‥（マグネットホルダーセット5、図24参照）
次の3個のマグネットホルダーの組み合わせで、折りたたみ式フックを開いて3支点でホワイトボード等を壁に支持できるマグネットホルダーセット。タイプＢ-3+タイプＢ-4（ａ）+タイプＢ-4（ｂ）の合計3個のマグネットホルダーセット。
【請求項１６】
‥‥（タイプＡ-6、図20参照）
「請求項1（タイプＡ-1）」のマグネットホルダーに、引き抜き防止ゴムストッパーを取り付けたマグネットホルダー。
【請求項１７】
‥‥（タイプＡ-7、図20参照）
「請求項1（タイプＡ-1）」のフックの穴を「ひも掛け可能穴」としたマグネットホルダー。
【請求項１８】
‥‥（タイプＡ-8、図20参照）
「請求項1（タイプＡ-1）」のフックに、「90度開閉式かぎ掛けフック」を取り付けたマグネットホルダー。
【請求項１９】
‥‥（タイプＡ-9、図20参照）
「請求項1（タイプＡ-1）」のフックに、「回転式延長フック」を取り付けたマグネットホルダー。
【請求項２０】
‥‥（タイプＡ-10、図21参照）
「請求項1（タイプＡ-1）」のフックを、「回転可能な紙間挿入フック」としたマグネットホルダー。
【発明の詳細な説明】
【技術分野】
【０００１】
本発明は、任意寸法の組み立て式紙箱（例えばティッシュペーパーボックス、サランラップ箱、ビニールパックボックス等）をマグネットを利用して鋼製壁面に簡便に取り付けられる「固定保持用マグネットホルダー」に関するものである。また、このホルダーは、箱を2個以上左右上下自由な位置に並べて取り付けることもでき、さらに垂直面のみならず水平面、直角面、曲面等にも取り付けるこが可能なマグネットホルダーである。（図１：総合図参照）
【背景技術】
【０００２】
従来、紙箱等をマグネットを利用して鋼製材質の壁に取り付ける場合（例えば、ティッシュペーパーボックスを机の側面に取り付けたり、サランラップ箱を冷蔵庫の側面に取り付ける場合）、次のような方法があった。
・方法イ：2本のマグネットバーで紙箱の両側面を挟み込んで取り付ける方法（図2イ参照）。
・方法ロ：背面にマグネットを備えた収納箱で、紙箱を固定して取り付ける方法（図2ロ参照）。
・方法ハ：紙箱と同寸法の枠を使って紙箱を固定しマグネットで取り付ける方法（図2ハ参照）。
【０００３】
しかし、これらの方法では、紙箱を手前に強く引いたとき外れてしまう、机の下やロッカーの奥等の目の届きにくい狭い面には簡便に取り付けにくい、箱寸法に制限があったり、よびに2個以上並べて箱を取り付けられない、冷蔵庫や洗濯機で側面が曲面になっていると安定して取り付けられない、等々の不便さ、欠点があった。
【０００４】
また、例えば日常的に、はやり風邪や花粉症に苦しむサラリーマンやＯＬ達が、ティッシュペーパーボックスをオフィスの自分の机に、すぐに使えるように手の届く位置に、そして目立たないように備えておきたい場合、箱を引き出しにしまっておいたり上述の従来の方法で机に取り付けていたのでは、保持が不安定で簡便さに欠け使い勝手上たいへん不便であるとゆう問題点があった。
【０００５】
これらの改善策として、紙間挿入フック構造を持つマグネットホルダー（例えばタイプＡ-5を基本とするマグネットホルダーセット3、同請求項9）を使用することで、これらの問題を全て解決して取り付けられ、自由度の高い方法で多種用途の紙箱を簡便に取り付けて利用することができる。
【特許文献１】特開−2003-182276（マグネットホルダー）
【特許文献２】特開−2003-165292（マグネットホルダー）
【特許文献３】特開−2003-165291（マグネットホルダー）
【特許文献４】特開−2002-263031（ティッシュペーパー）
【特許文献５】特開−2002-145362（ティッシュペーパー）
【特許文献６】特開−2000-254034（ティッシュペーパー）
【発明の開示】
【発明が解決しようとする課題】
【０００６】
解決しようとする問題点は、以下に列挙する種々の欠点である。
・欠点1：紙箱の両側面を挟み込んで固定する方法の場合は、箱を手前に強く引いた場合に外れてしまう恐れがあった（方法イ、ロの場合）。
・欠点2：垂直面以外の次の面には、安定して取り付けられなかった。水平面（例えば机の下やロッカーの天井面）、直角面（例えば机やロッカーの角隅面）、曲面（例えば冷蔵庫や洗濯機の側面が丸くなっている曲面）等の面（方法イ、ロの場合）。
・欠点3：目の届きにくい狭い空間の面では、取り付け作業が面倒であった（例えば、机の下やロッカーの天井奥や冷蔵庫と棚の狭いすき間）（方法イ、ロの場合）。
・欠点4：予備のもう1つの箱を左右上下自由な位置で並べて取り付けられなかった（方法イ、ロ、ハの場合）。
・欠点5：取り付ける箱の寸法に制限が合った（方法ロ、ハの場合）。
・欠点6：取り付け具の形状が大きい場合は、取り付け形態の美観が損なわれ、また、使用しないときは収納スペースを必要としコンパクト性に欠けていた（方法ロ、ハの場合）。
【課題を解決するための手段】
【０００７】
本発明は、紙間挿入フック(3)を、強力マグネット(2)のついた平板(1)に取り付け、これを１個の「紙間挿入フック構造を持つマグネットホルダー」（基本型パーツ）とし、これらのパーツを組み合わせて使用することにより、多種多様の任意の大きさの紙箱をどのような形状の面にも取り付け可能としたものである。今回、紙箱を固定保持する方法として「紙間挿入フック(3)」を用いるという従来になかった新しい方法を開発した。つまり、ほとんどの組み立て式紙箱の構造に見られる箱角隅の紙と紙の隙間に「紙間挿入フック(3)」を挿入し（図1総合図の取り付け方法１〜４参照）、箱の前後の移動を押さえて保持固定するという方法であり、この点が今回の発明の最も基本的な部分である。この方法で、例えば3個のパーツを、箱裏の3隅に取り付け、その状態で箱を壁に貼り付けるような感覚で、簡便に壁に取り付けて安定して保持固定することができる。また、この基本パーツ（基本型紙間挿入フック構造を持つマグネットホルダー）から、新しい利用発展型パーツを開発し（図のタイプＡ-2〜Ａ-10）これらのマグネットホルダーを組み合わせ使用することで、箱を2個以上左右上下自由な位置で並べて取り付けられたり、平面以外の曲面等にも取り付けられることも、今回の発明の特徴である。
【発明の効果】
【０００８】
本発明のマグネットホルダーを使用した場合の主な利点は、紙箱を固定保持したときに箱を手前に強く引いても落ちない、目の届かない狭い面でも紙箱を面に貼り付けるような感覚で簡便に取り付けられる、別種の寸法の違う箱でも2個以上並べて取り付けられる、平面以外の曲面等でも取り付けられる、取り付ける紙箱の寸法に制限がない、面に取り付けても美観を損なわずコンパクト性がある等である。
【発明を実施するための最良の形態】
【０００９】
以下、本発明の最良の実施の形態について説明していく。まず、基本型パーツのマグネットホルダーとして、紙間挿入フック(3)を強力マグネット(2)のついた平板(1)に取り付け、これを１個の「紙間挿入フック構造を持つマグネットホルダー」とする（図15タイプＡ-1（ａ）参照）。この基本パーツに、さらに別のフックを付け加えたり、ちょう番構造を取り付けること等で利用発展型パーツ（図16〜21タイプＡ-2〜Ａ-10参照）を開発し、これらのパーツの組み合わせ使用により自由度の高い取り付け方法が可能となる。最良の実施利用形態は、請求項（9）のマグネットホルダーセット3を用いた場合で、このパーツの組み合わせで紙箱を固定保持するときは、堅固に簡便に取り付けられるだけでなく、箱を2個以上並べて取り付けられ、また曲面等多様な面に取り付けることもできる。つまり、従来の取り付け方法にあったすべての問題点を解決して取り付けが可能となるのである。
【実施例１】
【００１０】
（マグネットホルダーセット1を使用した場合の取り付け例）
図15（タイプＡ-1（ａ））は、本発明の基本型マグネットホルダーの「斜視図、正面図、側面図、上面図」であり、すべてのホルダーパーツはこれがもとになっている。図7〜9（取付け詳細1-1〜1-3）は、この基本のマグネットホルダーを3個使用し1個の箱を取り付けた最も基本的な例である。
【実施例２】
【００１１】
（マグネットホルダーセット2を使用した場合の取り付け例）
図10〜12（取付け詳細2-1〜2-3）は、マグネットホルダーセット2を使用して１個の箱を取り付けた場合の例である。図13,14（取付け詳細3-1〜3-2）は、同じくマグネットホルダーセット2を使用して2個の箱を左右上下に並べても取り付けた例である。
【実施例３】
【００１２】
（マグネットホルダーセット3を使用した場合の取り付け例）
「図1総合図」の机角の取り付け例、「図5取付け例2」のロッカー扉裏面の取り付け例が、ちょう番構造を利用して取り付けた場合に該当する。なお、この「マグネットホルダーセット3」が「マグネットホルダーセット1とマグネットホルダーセット2の機能」を含有することは言うまでもない。図3〜図6に見られるように、あらゆる取り付け方ができるのである。
【実施例４】
【００１３】
（マグネットホルダーセット2を使用した場合の取り付け例）
図3（取付け例1-1）、図4（取付け例1-2）は机面に箱を2個並べて取り付けた例である。
【実施例５】
【００１４】
（マグネットホルダーセット3を使用した場合の取り付け例）
図5（取付け例2）は、オフィスのロッカー面に取り付けた例である。図6（取付け例3）は、キッチンの冷蔵庫面に取り付けた例である。
【産業上の利用可能性】
【００１５】
日常生活の中で使っている多種多様の組み立て式紙箱（例えばティッシュペーパーボックス等）を、オフィスにある机、ロッカー、本棚の鋼製面に、またキッチンにある冷蔵庫、洗濯機等の鋼製面に簡便に取り付けられ、さらに利用範囲を広げれば、屋外で、車の湾曲した表面（例えば、停車しているキャンピングカーの表面）や、鉄柱や鋼鈑（例えば工事現場において、単管足場や屋外ユニットトイレの表面）にも取り付けられ、必要に応じて広範囲の用途に適用できるのである。
【図面の簡単な説明】
【００１６】
【図１】総合図（机面の取り付け例とホルダーの挿入方法）。今回発明したマグネットホルダーを利用してティッシュペーパーボックスを机面に取り付けた基本的な例である。また、ホルダーの基本的挿入方法を示した。なお、各ホルダータイプの詳細図は、図15〜図26に示している。
【図２】今回の発明と従来の方法（イ、ロ、ハ）との比較。
【図３】取付け例1-1（机面に横に2個並べた場合）。
【図４】取付け例1-2（机面に縦に2個並べた場合）。
【図５】取付け例2（ロッカー面）。
【図６】取付け例3（冷蔵庫面）。
【図７】取付け詳細1-1（壁縦付け）‥‥マグネットホルダーセット1を使用。
【図８】取付け詳細1-2（壁横付け）‥‥マグネットホルダーセット1を使用。
【図９】取付け詳細1-3（天井付け）‥‥マグネットホルダーセット1を使用。
【図１０】取付け詳細2-1（壁縦付け）‥‥マグネットホルダーセット2を使用。
【図１１】取付け詳細2-2（壁横付け）‥‥マグネットホルダーセット2を使用。
【図１２】取付け詳細2-3（天井付け）‥‥マグネットホルダーセット2を使用。
【図１３】取付け詳細3-1（2個横並べ）‥‥マグネットホルダーセット2を使用。
【図１４】取付け詳細3-2（2個縦並べ）‥‥マグネットホルダーセット2を使用。
【図１５】タイプＡ-1（ａ）のマグネットホルダー。「紙箱挿入フックＳ1（3）を持つマグネットホルダー（基本型）」である。「斜視図、正面図、右側面図、上面図」を示した。
【図１６】タイプＡ-2（ａ）のマグネットホルダー。タイプＡ-1に、「紙箱挿入フックS2（4）」を加えたマグネットホルダーである。「斜視図、正面図、右側面図、上面図」を示した。
【図１７】タイプＡ-3（ａ）のマグネットホルダー。タイプＡ-1に、「紙箱挿入フックS3（5）」を加えたマグネットホルダーである。「斜視図、正面図、右側面図、上面図」を示した。
【図１８】タイプＡ-4（ａ）のマグネットホルダー。タイプＡ-1に、「紙箱挿入フックS2（4）」と「紙箱挿入フックS3（5）」を加えたマグネットホルダーである。「斜視図、正面図、右側面図、上面図」を示した。
【図１９】タイプＡ-5（ａ）のマグネットホルダー。タイプＡ-1に、磁力開閉式ちょう番（6）を取り付けたマグネットホルダーである。「斜視図、正面図、右側面図、上面図」を示した。
【図２０】タイプＡ-6〜タイプＡ-9のマグネットホルダーの「斜視図」である。
【図２１】タイプＡ-10、タイプＡ-1（ｂ）、タイプＡ-2（ｂ）のマグネットホルダーの「斜視図」である。
【図２２】タイプＡ-3（ｂ）、タイプＡ-4（ｂ）、タイプＡ-5（ｂ）のマグネットホルダーの「斜視図」である。
【図２３】タイプＢ-1、タイプＢ-2（ａ）、タイプＢ-2（ｂ）のマグネットホルダーの「斜視図等」である。
【図２４】タイプＢ-3、タイプＢ-4（ａ）、タイプＢ-4（ｂ）のマグネットホルダーの「斜視図等」である。
【図２５】タイプＣ-1のマグネットホルダーの「斜視図等」である。
【図２６】タイプＤ-1のマグネットホルダーの「斜視図等」である。
【符号の説明】
【００１７】
1  平板
2  強力マグネット
3  紙間挿入フックＳ1
4  紙間挿入フックＳ2
5  紙間挿入フックＳ3
6磁力開閉式ちょう番
【図１】
2005187042.tif 000003
【図２】
2005187042.tif 000004
【図３】
2005187042.tif 000005
【図４】
2005187042.tif 000006
【図５】
2005187042.tif 000007
【図６】
2005187042.tif 000008
【図７】
2005187042.tif 000009
【図８】
2005187042.tif 000010
【図９】
2005187042.tif 000011
【図１０】
2005187042.tif 000012
【図１１】
2005187042.tif 000013
【図１２】
2005187042.tif 000014
【図１３】
2005187042.tif 000015
【図１４】
2005187042.tif 000016
【図１５】
2005187042.tif 000017
【図１６】
2005187042.tif 000018
【図１７】
2005187042.tif 000019
【図１８】
2005187042.tif 000020
【図１９】
2005187042.tif 000021
【図２０】
2005187042.tif 000022
【図２１】
2005187042.tif 000023
【図２２】
2005187042.tif 000024
【図２３】
2005187042.tif 000025
【図２４】
2005187042.tif 000026
【図２５】
2005187042.tif 000027
【図２６】
2005187042.tif 000028
【手続補正書】
【提出日】平成16年3月31日(2004.3.31)
【手続補正１】
【補正対象書類名】図面
【補正対象項目名】図１
【補正方法】変更
【補正の内容】
【図１】
2005187042.tif 000029
【手続補正２】
【補正対象書類名】図面
【補正対象項目名】図２
【補正方法】変更
【補正の内容】
【図２】
2005187042.tif 000030
【手続補正３】
【補正対象書類名】図面
【補正対象項目名】図１５
【補正方法】変更
【補正の内容】
【図１５】
2005187042.tif 000031
【手続補正４】
【補正対象書類名】図面
【補正対象項目名】図２３
【補正方法】変更
【補正の内容】
【図２３】
2005187042.tif 000032
【手続補正５】
【補正対象書類名】図面
【補正対象項目名】図２４
【補正方法】変更
【補正の内容】
【図２４】
2005187042.tif 000033
【手続補正６】
【補正対象書類名】図面
【補正対象項目名】図２５
【補正方法】変更
【補正の内容】
【図２５】
2005187042.tif 000034
【手続補正７】
【補正対象書類名】図面
【補正対象項目名】図２６
【補正方法】変更
【補正の内容】
【図２６】
2005187042.tif 000035